(57)【要約】【課題】  巻取り、折り畳み可能なシルバースクリーンを実現する。【解決手段】  繊維性の基布１０に樹脂層を層着した投映用スクリーンにおいて、樹脂層を構成する樹脂１１に銀色の金属粉を混ぜ合わせ、これを巻芯１に巻取り可能な巻取り型スクリーンや、内側皮膜３１と外側皮膜間３２の空気を陰圧又は陽圧に保つことによりドーム形状に保形する二重空気膜構造からなるエアードームスクリーンとする。【選択図】      図３
2012159684.tif 000002
【特許請求の範囲】
【請求項１】
繊維性の基布に樹脂層を層着した投映用スクリーンにおいて、樹脂層を構成する樹脂に銀色の金属粉を混ぜ合わせたことを特徴とする立体映像投映用スクリーン。
【請求項２】
繊維性の基布に樹脂層を層着したスクリーン基体の表面に銀色の金属粉を混ぜ合わせた樹脂層を層着した立体映像投映用スクリーン。
【請求項３】
スクリーンは、巻芯に巻取り可能な巻取り型スクリーンである請求項１又は２記載の立体映像投映用スクリーン。
【請求項４】
スクリーンは、ドーム状に構成した空気膜内に送風することによりドーム形状に保形するエアードームスクリーンである請求項１又は２記載の立体映像投映用スクリーン。
【請求項５】
スクリーンは、内側皮膜と外側皮膜間の空気を陰圧又は陽圧に保つことによりドーム形状に保形する、二重空気膜構造からなるエアードームスクリーンである請求項１又は２記載の立体映像投映用スクリーン。
【発明の詳細な説明】
【技術分野】
【０００１】
この発明はプロジェクターから立体映像を投映する際に使用する立体映像投映用スクリーンに関し、より詳細にはビニールなどの可撓性素材からなるスクリーンにおけるシルバースクリーン加工に関する。
【背景技術】
【０００２】
プロジェクターからスクリーンに立体映像を投映することが広く行なわれている。これは人間の両眼視差による立体知覚を利用して立体映像表示を行うものであるが、プロジェクター投映により立体映像を表示する手段としては下記のものがある。
(1) アクティブ（能動）型
(A) 時分割方式（液晶シャッター方式）
(2) パッシブ（受動）型
(A) 直線偏光方式
(B) 円偏光方式
(C) アナグリフ方式（カラー化は難しい）
(D) 波長分割方式（干渉フィルターを用い、光の三原色をそれぞれ２分し、６つの光の領域に分割した方式）
【０００３】
前記のように立体映像を表示する手段としてはさまざまな方式があり、観客が掛ける立体視用のめがねは、それぞれの方式に従って用意されている。この場合、多くの観客を動員した映像展示ではこのめがねに掛けるコストが少しでも安価であることが望ましい。この点、映像を左眼と右眼とで別の液晶などのシャッタを介して見ることで映像が立体視されるアクティブ型はめがねの製造コストが非常に高く、大人数の映像展示には向いていない。
【０００４】
一方、パッシブ型で偏光を利用した直線偏光、円偏光の方式は、めがねを紙とプラスチック偏光板で作ることができるのでコストが安く、使い捨てなど、展示運営の手間を省くには理想的といえる。図１は偏光を用いて立体視を行う投映システムを図示したものであり、図中符号Ｐ１は右目用のプロジェクター、Ｆ２は右目用の偏光フィルター、Ｐ２は左目用のプロジェクター、Ｆ２は左目用の偏光フィルターを指す。
【０００５】
この場合、プロジェクターから出た偏光性を持った光はスクリーンＳに反射し、偏光面を維持したまま偏光めがねＧを通過して正しく観客の目に帰らなければならない。仮に、プロジェクターから出た光がスクリーン面で拡散すると偏光面が回転して反射されてしまうので立体視が不可能になる。そのため、スクリーンＳはプロジェクターから出た光が入射した角度と同じ角度をもって反射する鏡面反射効果を持ったものが要求される。そのようなものとして、金属的な光沢を有する、いわゆるシルバースクリーンが用いられている。
【０００６】
前記のシルバースクリーンは、アルミニウム粉など銀色の金属粉を混ぜた塗料をスクリーンの基体に塗布することにより製造され、使用されていた（例えば、特許文献２）。
【先行技術文献】
【特許文献】
【０００７】
【特許文献１】特開２００４- ２５０９０９
【特許文献２】特開２００７- １７８５８２号公報
【特許文献３】実願昭５８年１２６８０７号の願書に添付した明細書及び図面の内容を撮影したマイクロフイルム
【発明の概要】
【発明が解決しようとする課題】
【０００８】
ところで、立体映像施設を仮設可能に構成したり、簡易な工法で施行する場合、立体映像が投映されるスクリーンは搬送や折り畳みの容易性のために剛体でなく、ビニールのような可撓性素材により構成されることが一般的である。
【０００９】
また、ドームスクリーン施設においては、簡易な工法で施行するために、ドーム状に構成した皮膜内に送風することによりドーム形状に保形するエアードームスクリーン（例えば、特許文献１）や、内側皮膜と外側皮膜間の空気を陰圧又は陽圧に保つことによりドーム形状に保形する二重空気膜構造からなるエアードームスクリーンが用いられており、このスクリーンもビニールのような可撓性素材により構成される（例えば、特許文献３）。
【００１０】
以上の場合において、シルバースクリーンはビニールのような可撓性素材により構成される基体に金属粉を混ぜた塗料を塗布することにより得られるが、塗料に強度がなく剥がれやすい問題があった。一般的には塗膜の強度を上げるために焼き付け塗装が行なわれるが、以上の場合においてはスクリーンの基体は剛体でなく、ビニールのような樹脂素材なのでこの手段は採用できなかった。
【００１１】
この場合、立体映像を専用に上映している常設館のようにスクリーンが平面や張設状態で固定されている場合は塗膜への影響は少ない。しかしながら、ビニールのような可撓性素材によりスクリーンの基体を構成する理由は、例えば図２に示すようにスクリーンＳを巻芯１に巻取り可能な巻取り型スクリーンとして使用したり、仮設の映像施設において仮設の都度折り畳み、張設を繰り返さなければならないからである。
【００１２】
よって、巻取り型スクリーンの場合は巻取りにより塗膜が撓み、皺がよったり剥がれたりするので塗装によるシルバースクリーンは使用できない問題があった。同様に仮設の映像施設においても巻き取ったり、折り畳んだすると塗膜が撓み、皺がよったり剥がれたりするので再使用ができなくなる問題があった。
【００１３】
そのため、イベントなどの仮設的な映像展示において立体映像を投映しようとする場合、シルバースクリーンを予め巻き取ったり、折り畳んで搬入することができず、また、再使用もできないので多大のコストを要することとなる問題を生じた。
【００１４】
一方、仮設の施設でなくともエアードームスクリーン施設においては、施行にあたりスクリーンを折り畳んだ状態で現場に搬入するとやはり塗膜が撓み、皺がよったり剥がれたりするので、シルバースクリーンのための塗装はスクリーンの取り付け後に現場で行なわなければならなかった。そのため効率が悪いだけでなく、工場で予め塗装する場合に比べ塗装の精度が取りにくく、立体視効果に影響を与えるおそれもあった。また、一旦取り付けてしまうと再使用できない問題もあった。さらに、エアードームスクリーンは内側皮膜と外側皮膜間の空気を陰圧又は陽圧に保つことによりドーム形状に保形するので、内側皮膜の内面にシルバースクリーンのための塗装を施した場合、メンテナンスなどのために空気膜を外気と同じ気圧にすると内側皮膜が変形して塗膜が撓み、皺がよったり剥がれたりするおそれがあった。簡易な工法で施行できるエアードームスクリーンは、全天周映画やプラネタリウムを手頃なコストで実現できるので有用であるが、これを立体映像化できないことは大きな問題であった。
【課題を解決するための手段】
【００１５】
本願発明は、以上の問題点を解決した立体映像投映用スクリーンを提供することを目的として創作されたものである。すなわち、請求項１記載の立体映像投映用スクリーンは繊維性の基布に樹脂層を層着した投映用スクリーンにおいて、樹脂層を構成する樹脂に銀色の金属粉を混ぜ合わせたことを特徴とする。
【００１６】
また、請求項２に記載の立体映像投映用スクリーンは、前記請求項１記載のスクリーンにおいて繊維性の基布に樹脂層を層着したスクリーン基体の表面に銀色の金属粉を混ぜ合わせた樹脂層を層着したことを特徴とする。
【００１７】
また、請求項３に記載の立体映像投映用スクリーンは、前記請求項１記載のスクリーンを、巻芯に巻取り可能な巻取り型スクリーンとしたことを特徴とする。
【００１８】
また、請求項４に記載の立体映像投映用スクリーンは、前記請求項１記載のスクリーンを、ドーム状に構成した空気膜内に送風することによりドーム形状に保形するエアードームスクリーンとしたことを特徴とする。
【００１９】
また、請求項５に記載の立体映像投映用スクリーンは、前記請求項１記載のスクリーンを、内側皮膜と外側皮膜間の空気を陰圧又は陽圧に保つことによりドーム形状に保形する、二重空気膜構造からなるエアードームスクリーンとしたことを特徴とする。
【発明の効果】
【００２０】
以上の構成よりなるこの発明の立体映像投映用スクリーンによれば、銀色の塗装を施すのではなく、スクリーンの基布に層着する樹脂層を構成する樹脂自体に銀色の金属粉を混ぜ合わせることによりシルバースクリーンを得るので、内部に銀色の金属粉を混ぜ合わせた銀色部分（樹脂層）と基布は一体化する。よって、スクリーンが折れ曲がったり、撓んだりしても銀色部分に皺がよったり剥がれたりすることがない。また、塗装による塗膜と異なり銀色部分はスクリーンを構成する層の一部として相応の厚みを持っているので、万が一外力により傷がついてもシルバースクリーンの反射特性に変化を及ぼすことはない。
【００２１】
一方、銀色部分は塗装のように後から施すのでなく、スクリーンの一部として工場で施されるので、塗装のような現場作業が不要となり、施行の効率がよくなるだけでなく、現場で施行する場合に比べ厚みなどの精度が正確となり、より確実な立体視効果を得ることができる。
【００２２】
また、請求項２に記載の立体映像投映用スクリーンは、繊維性の基布に樹脂層を層着したスクリーン基体の表面に銀色の金属粉を混ぜ合わせた樹脂層を層着することにより得られるので、スクリーン基体として既成の幕生地を利用して容易にシルバースクリーンを得ることができる。また、エアードームスクリーンの場合は、空気膜構造に使用される幕生地は構造計算により型番が決められている場合があるので、既成の幕生地を利用できるこの発明は非常に有用である。
【図面の簡単な説明】
【００２３】
【図１】立体映像投映用スクリーン一般の使用法を示す概念図。
【図２】この発明の立体映像投映用スクリーンの使用法を示す概念図。
【図３】この発明の立体映像投映用スクリーンの第１実施例の断面図。
【図４】この発明の立体映像投映用スクリーンの第２実施例の断面図。
【図５】この発明の立体映像投映用スクリーンの第２実施例の製法を示す概念図。
【図６】この発明の立体映像投映用スクリーンの異なる使用法を示す概念図。
【図７】この発明の立体映像投映用スクリーンの異なる使用法を示す概念図。
【発明を実施するための形態】
【００２４】
以下、本願発明の具体的実施例を添付図面に基づいて説明する。図３はこの発明の立体映像投映用スクリーンの第１実施例の断面図である。図中符号１はスクリーンの芯材となる基布である。この基布１は繊維性の素材からなるものであり、繊維糸としてはガラス繊維やポリエステル繊維が使用される。図中符号１１は上記の基布１に層着される樹脂層である。樹脂層１１は塩化ビニール樹脂やポリウレタン樹脂が使用され、溶融状態においてアルミニウム粉などの銀色の金属粉を混ぜ合わせられる。
【００２５】
図４はこの発明の立体映像投映用スクリーンの第２実施例の断面図である。図中符号１３は既成の幕生地からなるスクリーン基体であり、ガラス繊維やポリエステル繊維などの繊維性の基布１０に樹脂層１２を層着した構成よりなる。図中符号１４は上記のスクリーン基体１３に層着される樹脂層である。樹脂層１４は塩化ビニール樹脂やポリウレタン樹脂が使用され、溶融状態においてアルミニウム粉などの銀色の金属粉を混ぜ合わせられる。
【００２６】
図５は前記の第２実施例の立体映像投映用スクリーンの製造工程を示す図である。ビニール幕などのスクリーン基体１６は搬送ローラ１６により転写ローラ１５と接触しながら移送され、樹脂層１４を形成するための溶融状態の樹脂１４Ａは転写ローラを介してスクリーン基体１６に層着される。図中符号１７は転写ローラ１５に付着された溶融状態の樹脂１４Ａの厚みをならすためのブレードである。
【００２７】
以上の構成よりなるこの発明の立体映像投映用スクリーンは、映写試験の結果、図１に示された偏光の方向性をそのまま再現して観客のめがねに入ることが確認され、パッシブ型で偏光を利用した立体映像用スクリーンとして使用可能であることが確認された。
【００２８】
図２は以上の構成よりなる立体映像投映用スクリーンＳの使用法を示す図である。ここではスクリーンＳは、巻芯１に巻取り可能な巻取り型スクリーンとして構成される。図中符号Ｐ１は立体映像投映用スクリーンＳに立体映像を投映するための右目用のプロジェクター、Ｆ２は右目用の偏光フィルター、Ｐ２は左目用のプロジェクター、Ｆ２は左目用の偏光フィルターである。
【００２９】
図６は以上の構成よりなる立体映像投映用スクリーンＳの異なる使用法を示す図である。ここでは、スクリーンＳはドーム状に構成した空気膜に送風することによりドーム形状に保形するエアードームスクリーンとして構成される。図中符号３３は上記空気膜中に空気を送風するための送風機である。この実施例のエアードームスクリーンにおいては全天映像を投映するための魚眼レンズもしくは超広角レンズを装備したプロジェクターと観客の正面に四角い画面を作り出すための通常の画角を持つ立体映像投映用プロジェクターを併用している。図中符号Ｐ９は全天映像用のプロジェクターである。また、図中符号Ｐ２０は通常の画角を持つ右目用の立体映像投映用プロジェクター、Ｆ２０は右目用の偏光フィルター、Ｐ２１は左目用の立体映像投映用プロジェクター、Ｆ２１は左目用の偏光フィルターである。
【００３０】
図７は以上の構成よりなる立体映像投映用スクリーンＳの異なる使用法を示す図である。ここでは、スクリーンＳは内側皮膜３１と外側皮膜間３２の空気を陰圧又は陽圧に保つことによりドーム形状に保形する二重空気膜構造からなるエアードームスクリーンとして構成される。図中符号３３は上記空気膜中の空気を吸引または送風するための送風機である。この実施例のエアードームスクリーンにおいては全天映像を投映するための魚眼レンズもしくは超広角レンズを装備した立体映像投映用プロジェクターと観客の正面に四角い画面を作り出すための通常の画角を持つ立体映像投映用プロジェクターを併用している。図中符号Ｐ１０は全天映像用の右目用の立体映像投映用プロジェクター、Ｆ１０は右目用の偏光フィルター、Ｐ１１は左目用の立体映像投映用プロジェクター、Ｆ１１は左目用の偏光フィルターである。また、図中符号Ｐ２０は通常の画角を持つ右目用の立体映像投映用プロジェクター、Ｆ２０は右目用の偏光フィルター、Ｐ２１は左目用の立体映像投映用プロジェクター、Ｆ２１は左目用の偏光フィルターである。
【符号の説明】
【００３１】
Ｓ        スクリーン
１０      基布
１１      樹脂層
１２      スクリーン基体
１４      樹脂層
【図１】
2012159684.tif 000003
【図２】
2012159684.tif 000004
【図３】
2012159684.tif 000005
【図４】
2012159684.tif 000006
【図５】
2012159684.tif 000007
【図６】
2012159684.tif 000008
【図７】
2012159684.tif 000009